(57)【要約】【課題】本発明は、蓋体が均一に力を受けて変形しない電子装置を提供することを目的とする。【解決手段】本発明の電子装置は、ハウジングと、前記ハウジングの背部に設置された電池と、前記ハウジングの背部を覆われる蓋体と、を備える。前記電子装置の前記電池の外側面と前記蓋体の内側面との間に固定構造が設置され、前記固定構造は、前記蓋体を前記ハウジングの背部に固定する。【選択図】図１
2014143202.tif 000002
【特許請求の範囲】
【請求項１】
ハウジングと、前記ハウジングの背部に設置された電池と、前記ハウジングの背部を被覆する蓋体と、を備える電子装置において、
前記電池の外側面と前記蓋体の内側面との間には固定構造が設置され、前記固定構造は、前記蓋体を前記ハウジングの背部に固定することを特徴とする電子装置。
【請求項２】
前記電池の外側面と前記蓋体の内側面との一方には、ロック溝が設けられ、別の一方にはロック突起が設けられ、前記ロック突起は前記ロック溝の内部に収容されて、前記蓋体は前記ハウジングの背部に固定されることを特徴とする請求項１に記載の電子装置。
【請求項３】
前記電池は、電池フレーム及び前記電池フレームの内部に固定された複数の電池セルを備え、前記ロック溝は、前記電池フレームに設けられることを特徴とする請求項２に記載の電子装置。
【請求項４】
前記電池フレームは、外部フレーム及び複数の中間棒部を備え、前記複数の中間棒部は、前記外部フレームを複数の電池区域に分割し、各電池区域は、１つの前記電池セルを収容し且つ固定し、前記ロック溝は前記中間棒部に設けられることを特徴とする請求項３に記載の電子装置。
【請求項５】
前記複数の中間棒部は、互いに平行であり、且つ前記外部フレームの２つの辺と接続されることを特徴とする請求項４に記載の電子装置。
【請求項６】
前記ロック溝の延在する長手方向は前記中間棒部の延在する長手方向と一致することを特徴とする請求項４に記載の電子装置。
【請求項７】
前記ロック溝の開口には、対向する２つの止め部が設けられ、前記２つの止め部は、ロックされた後に前記ロック突起が前記ロック溝から脱離することを防止することを特徴とする請求項４に記載の電子装置。
【請求項８】
前記ロック突起は、前記蓋体の内側面から突出された棒部及び前記棒部の前記蓋体から離れている一端と接続する上部を備え、前記上部の幅は、前記棒部の幅より大きく、且つ前記２つの止め部の間の距離より大きいことから、ロックされた後に前記ロック突起が前記ロック溝から脱離するのを防止することを特徴とする請求項７に記載の電子装置。
【請求項９】
前記２つの止め部の外側面と前記上部の２つの側面とは、それぞれ弧面であり、前記ロック突起の上部が前記２つの止め部を圧押して、前記ロック溝に収容されることを特徴とする請求項８に記載の電子装置。
【請求項１０】
前記上部と前記棒部は、それぞれ長い突起形状であり、前記棒部と前記上部の延在する長手方向は、前記ロック溝の延在する長手方向と一致することを特徴とする請求項９に記載の電子装置。
【発明の詳細な説明】
【技術分野】
【０００１】
本発明は、電子装置に関し、特にハウジング、電池及び蓋体を備える電子装置に関するものである。
【背景技術】
【０００２】
パソコン、タブレット或いは他の携帯電子装置の電池は、一般的にはハウジングの背部に設置され、蓋体をハウジングの背部に被覆固定することで、電池とハウジングの背部に設置されている他の部材とを保護する。通常蓋体は、ハウジングの背部に直接に係合され、ハウジングの背部には、電池を設置するための１つの電池区域が設けられている。従って、蓋体のこの電池区域に対応する部分は、ハウジングと接触しないので、蓋体の電池区域に対応する部分は不均一な力を受け取って変形し、蓋体の部分が突出してしまう。
【発明の概要】
【発明が解決しようとする課題】
【０００３】
以上の問題点に鑑みて、本発明は、蓋体が均一に力を受けて変形しない電子装置を提供することを目的とする。
【課題を解決するための手段】
【０００４】
上記の課題を解決するために、本発明の電子装置は、ハウジングと、前記ハウジングの背部に設置された電池と、前記ハウジングの背部を覆われる蓋体と、を備える。前記電子装置の前記電池の外側面と前記蓋体の内側面との間に固定構造が設置され、前記固定構造は、前記蓋体を前記ハウジングの背部に固定する。
【発明の効果】
【０００５】
本発明の電子装置は、従来の電子装置に比べて、蓋体の内側面のロック突起と電池の外側面のロック溝とがロックされて、蓋体がハウジングの背部に固定されるので、ネジを介して蓋体をハウジングの背部に固定する必要がない。また、蓋体を取り外す際も、ネジを取り外す必要がないため、便利であり、且つ蓋体の外観にも影響を与えない。
【図面の簡単な説明】
【０００６】
【図１】本発明に係る電子装置の分解斜視図である。
【図２】図１に示した電子装置の別の視角から見た分解斜視図である。
【図３】図２に示した電池の分解斜視図である。
【図４】図３に示したＩＶ部の拡大図である。
【図５】図３に示したＶ−Ｖ線に沿った断面図である。
【図６】図１に示したＶＩ部の拡大図である。
【図７】図１に示したＶＩＩ−ＶＩＩ線に沿った断面図である。
【図８】図１に示した電子装置の組立図である。
【図９】図８に示した電子装置の別の視角から見た組立図である。
【図１０】図９に示したＸ−Ｘ線に沿った断面図である。
【発明を実施するための形態】
【０００７】
以下、図面に基づいて、本発明に係る電子装置について詳細に説明する。図１及び図２に示したように、電子装置１００は、ハウジング１０、電池２０及び蓋体３０を備える。電子装置１００は、パソコン、タブレット、ＰＤＡ、携帯電話或いは他の携帯式電子装置である。
【０００８】
ハウジング１０は、電子装置１００の主体部分であり、メインボード、中央処理装置、記憶装置、リードオンリーメモリ（ＲＯＭ）、拡張カード等の電子部材が収納及び集積されている。また実際の要求に応じて、電子装置(例えば、タブレット)のハウジング１０の前部には、ディスプレイが設置され、また他の電子装置（例えば、パソコン）にはキーボードが設置される。ハウジング１０の背部には、電池２０を取り外す或いは他の電子部材を保護するための入り口（図示せず）が設けられている。
【０００９】
電池２０は、ハウジング１０の内部に設置された電子部材に対して給電する。図３〜図５に示したように、電池２０は、電池フレーム２１及び該電池フレーム２１の内部に固定された複数の電池セル２５を備える。電池フレーム２１は、外部フレーム２１２及び複数の中間棒部２１４を備える。複数の中間棒部２１４は、互いに平行に位置し、且つ外部フレーム２１２の２つの辺とそれぞれ接続される。複数の中間棒部２１４は、外部フレーム２１２を複数の電池区域２１６に分割する。各電池区域２１６は、１つの電池セル２５を収容し、且つ固定する。複数の中間棒部２１４によって、複数の電池セル２５は互いに間隙をあけて位置するので、複数の電池セル２５との間に熱伝導或いは他の干渉が発生するのを防止できる。これにより、電池２００の充電及び放電の安全を確保できる。
【００１０】
図４及び図５に示したように、中間棒部２１４には、ロック溝２２が設けられており、ロック溝２２の延在する長手方向と中間棒部２１４の延在する長手方向とは一致する。本実施形態において、中間棒部２１４は、プラスチック材料によって製造されているため、ロック溝２２を一定の弾性力によって弾性変形させることができる。
【００１１】
図４及び図５に示したように、ロック溝２２の開口２３には、対向する２つの止め部２４が設けられている。止め部２４は、半円形の長い突起であり、止め部２４の延在する長手方向は、ロック溝２２の延在する長手方向と一致する。止め部２４の外側は、円弧面であり、その切断面は、半円形である。２つの止め部２４は、一定の範囲内で弾性力によって弾性変形するので、２つの止め部２４の間の距離は変化する。
【００１２】
一つの実施形態において、電池２０は、ハウジング１０の背部に集積され、ハウジング１０に取り付けて一体化されるため、電池２０を取り外すことはできない。もう一つの実施形態において、ハウジング１０の背部に、電池収容部（図示せず）を設置して、電池２０をこの電池収容部内に収容して且つ固定し、電池２０を電池収容部から取り外せるようにしても良い。
【００１３】
蓋体３０は、ハウジング１０の背部を被覆し、電池２０及びハウジング１０の内部に収容されている他の電子部材を保護する。図６及び図７に示したように、蓋体３０の内側面には、複数のロック突起３１が設けられており、中間棒部２１４のロック溝２２とロックさせることで、蓋体３０と電池２０とは固定される。複数のロック突起３１は、中間棒部２１４のロック溝２２の位置に対応するように蓋体３０の内側面に設置されている。
【００１４】
図６及び図７に示したように、ロック突起３１は、棒部３１２及び頭部３１４を備え、棒部３１２は、蓋体３０の内側面から突出して形成され、頭部３１４は、棒部３１２の蓋体３０と離れている一端に形成されている。頭部３１４の幅は、棒部３１２の幅より大きく、且つ２つの止め部２４の間の距離より大きい。頭部３１４の２つの側面は、それぞれ弧面であり、ロック突起３１の切断面は、頭部が太く、下部が細い。棒部３１２と頭部３１４とは、それぞれ長い突起形状であり、棒部３１２と頭部３１４との延在する長手方向は、ロック溝２２の延在する長手方向と一致する。
【００１５】
図８〜図１０に示したように、電子装置１００を組み立てる際、電池２０をハウジング１０から取り外せるように設計されている場合、先ず、電池２０をハウジング１０の収容溝に収容して固定する。電池２０とハウジング１０とが一体化して設計されている場合、上述の組み立てるステップは省略する。
【００１６】
蓋体３０の内側面を、ハウジング１０の背部と電池２０の外側面とに向けて設置する。この時、蓋体３０の内側面のロック突起３１を、対応する電池２０の外側面のロック溝２２にロックさせ、蓋体３０はハウジング１０側に移動して、ロック突起３１の頭部３１４は、ロック溝２２の開口２３の２つの止め部２４を圧押する。これにより、２つの止め部２４は弾性変形して、２つの止め部２４の間の距離は大きくなり、頭部３１４が完全にロック溝２２に挿し込まれるまで、蓋体３０をハウジング１０側に移動させる。ロック溝２２の開口２３の２つの止め部２４によって、ロック突起３１の頭部３１４が止められて、ロック突起３１がロック溝２２から脱離することを防止し、ロック突起３１とロック溝２２はロックされる。以上により、蓋体３０が電池２０上に固定され、電池２０はハウジング１０の電池収容溝に固定される或いはハウジング１０と一体化され、蓋体３０は、ハウジング１０の背部に固定される。
【００１７】
ロック溝２２の開口２３の２つの止め部２４の外側面と、ロック突起３１の頭部３１４の２つの側面と、は、それぞれ弧面であるため、ロック突起３１の頭部３１４を容易に２つの止め部２４に圧押させて、ロック溝２２に収容させることができる。
【００１８】
蓋体３０のロック突起３１は、電池２０の電池フレーム２１の中間棒部２１４のロック溝２２とロックして固定されるので、電池２０の外側面は、均一な支持力を受けて、電池２０が突出することを防止する。
【００１９】
蓋体３０を取り外す際、蓋体３０をハウジング１０から離れる方向に引っ張る。この時、ロック突起３１の頭部３１４は、ロック溝２２の方向に沿って移動し、ロック突起３１の頭部３１４はロック溝２２の開口２３の２つの止め部２４を圧押する。これにより、２つの止め部２４は弾性変形して、２つの止め部２４の間の距離は大きくなり、引き続き蓋体３０をハウジング１０と離れる方向に引っ張ることで、頭部３１４を完全にロック溝２２から脱離させることができる。この際、ロック突起３１とロック溝２２とのロックは解除されて、蓋体３０は電池２０から脱離し、且つハウジング１０の背部からも脱離する。電池２０がハウジング１０から取り外せるように設置されている場合、電池２０をハウジング１０の背部から脱離させる。
【００２０】
他の実施形態において、ロック溝２２とロック突起３１との位置を互いに交換し、ロック溝２２を蓋体３０の内側面に設け、ロック突起３１を電池２０の外側面に設けても良い。具体的には、ロック突起３１を、電池フレーム２１の中間棒部２１４に設置する。これにより、ロック溝２２とロック突起２１とはロックされて、蓋体３０は電池２０上に固定され、且つ蓋体３０はハウジング１０の背部に固定される。
【００２１】
従来の電子装置に比べて、蓋体３０の内側面のロック突起３１と電池２０の外側面のロック溝２２とがロックされて、蓋体３０がハウジング１０の背部に固定されるので、ネジを介して蓋体３０をハウジング１０の背部に固定する必要がない。また、蓋体３０を取り外す際も、ネジを取り外す必要がないため、便利であり、且つ蓋体３０の外観にも影響を与えない。
【符号の説明】
【００２２】
１００  電子装置
１０  ハウジング
２０  電池
２１  電池フレーム
２１２  外部フレーム
２１４  中間棒部
２１６  電池区域
２２  ロック溝
２３  開口
２４  止め部
２５  電池セル
３０  蓋体
３１  ロック突起
３１２  棒部
３１４  頭部
【図１】
2014143202.tif 000003
【図２】
2014143202.tif 000004
【図３】
2014143202.tif 000005
【図４】
2014143202.tif 000006
【図５】
2014143202.tif 000007
【図６】
2014143202.tif 000008
【図７】
2014143202.tif 000009
【図８】
2014143202.tif 000010
【図９】
2014143202.tif 000011
【図１０】
2014143202.tif 000012